(57)【特許請求の範囲】
【請求項１】
家屋等の屋外壁面に設けられた開口の屋外側開口端に装着され、この屋外側開口端からの風雨の浸入を防止する屋外端末部材であって、
前記屋外開口端に接続する筒状の開口を備えたダクト接続口と、
前記ダクト接続口を保持し、前記屋外壁面に固定する固定部を有する平面状のベースと、
前記ベースの屋外側を覆う着脱可能なカバーとを備えた換気フードと、
前記換気フード内に装着し、前記換気フードの外側へ空気を排気もしくは外側より空気を給気する羽根車と、
前記羽根車を回転させるモーターと、
前記モーターに電源を供給する電源コードもしくは電源差込口を有する端子台と、
前記電源コードもしくは端子台を取り付けて収納する充電部カバーと、
前記ベースに備え前記電源コードを前記屋外壁面側に引き出す貫通穴もしくは前記屋外壁面側より前記電源差込口を臨む端子台開口と、
前記モーターの支持部を形成するファン取り付け板と、
前記ファン取り付け板の屋外側より前記モーターと充電部カバーを組立てて一体としたファン組立てとし、
前記ベースに
前記ファン組立ては、前記ベースに着脱自在に取り付けたことを特徴とする換気扇。
【請求項２】
前記ベース外周の近傍に屋外壁面側に突出し形成した突出部を設け、
前記ベースを前記屋外壁面に取り付けたとき、前記ベースと前記突出部と前記屋外壁面で囲まれた溝部を形成することを特徴とする請求項１記載の換気扇。
【請求項３】
前記ベースと前記屋外壁面との間に、前記突出部との内側に空間を有することを特徴とした請求項１、２いずれか記載の換気扇。
【請求項４】
前記突出部に前記空間から前記電源コードを前記換気フードの外側に取り出す切欠き部と、を備えたことを特徴とする請求項１〜３いずれか記載の換気扇。
【請求項５】
前記カバーに備え換気フードの外側と通気する排気ガラリと、
前記ファン取り付け板に前記排気ガラリから前記羽根車を臨む位置にフィン状の突起と、を備えたことを特徴とする請求項１〜４いずれか記載の換気扇。
【請求項６】
前記ファン取り付け板に備えたモーター支持部と、
前記モーター支持部間を連結し前記モーターの駆動軸側を略半分覆うよう形成したモーター前カバーと、
前記モーター支持部と係合し、前記モーターの反駆動軸側を覆うモーター後カバーと、
を備えモーターカバー構造を構成したことを特徴とする請求項１〜５いずれか記載の換気扇。
【請求項７】
住宅内の２部屋以上の各室に分岐された換気ダクトと、
前記換気ダクトと連通し各室に備えた室内給排気口と、
前記室内給排気口と連通する前記換気ダクトの屋外側開口端に請求項１〜６いずれか記載の換気扇を用いたことを特徴とする換気システム。
【請求項８】
屋内の換気ダクトを床下に配し、その室内側開口端に室内給排気口を設け前記室内給排気口と連通する換気ダクトの屋外側開口端に請求項１〜６いずれか記載の換気扇を用いたことを特徴とする換気システム。
【請求項９】
住宅の壁面などに設けた、各居室内から屋外に貫通するエアコン用スリーブ、暖房機排気筒スリーブ、換気レジスター用スリーブなどの屋外側開口端に請求項１〜６いずれか記載の換気扇を用いたことを特徴とする換気システム。
【請求項１０】
住宅の外壁を貫通した屋外側開口端と、
前記住宅内の各居室の内壁と、
前記内壁と前記住宅の外壁や天井裏及び基礎との間に設けられる空間と、
前記空間と連通する前記屋外側開口端に請求項１〜６いずれか記載の換気扇を備えたことを特徴とする換気システム。
【請求項１１】
住宅内に配されたクローゼットやシューズボックスと、
前記クローゼットやシューズボックスに設けた給排気口と、
前記給排気口に接続された換気ダクトと、
前記給排気口と連通する換気ダクトの屋外側開口端に請求項１〜６いずれか記載の換気扇を備えたことを特徴とする換気システム。
【請求項１２】
住宅の各室に備えた給排気口と、
前記給排気口に接続される換気ダクトと、
前記給排気口に備え前記室内給排気口の開口面積を可変もしくは閉止するシャッターと、
前記給排気口と連通する換気ダクトの屋外開口端に請求項１〜６いずれか記載の換気扇を備えたことを特徴とする換気システム。
【発明の詳細な説明】
【技術分野】
【０００１】
本発明は、室内外を連通するダクトやパイプ等に屋外側から装着し、室内の空気を換気する換気扇に関するものである。
【背景技術】
【０００２】
室内外を連通する換気口の屋外側に設けて室内を換気する換気扇がある。この種の換気扇は、防雨防風のために換気フードを備え、換気フードの内部にモーター、羽根車を備えた構成となっており、室内側に換気機器を設けダクトなどを配管して設置するダクト用換気扇などに対し比較的手軽に設置できるものである。
（例えば特許文献１、２参照）
【０００３】
【特許文献１】特開２００６−２２０３９６号公報
【特許文献２】特開２００７−３２７６８６号公報
【発明の開示】
【発明が解決しようとする課題】
【０００４】
この種の従来の換気扇は、羽根車がシロッコファン、ターボファンのような多翼式のものとプロペラファンのような軸流式のものとがある。多翼式のものでは、嵩張るスクロールケーシングや吸気側にベルマウス形状のオリフィスが必要となり、スクロールケーシングやオリフィスは一般にダクトないしはパイプ内部に収めたり、フード内部に収めたりしており、部品点数が一般に多く構造が複雑になる。
特許文献１にある多翼式のファンは一般に高静圧であるものの、単位電力あたりの風量効率が軸流式に比べ低いため、同径パイプの内部に収める場合、軸流式のものと比べて風量を確保し難い。また換気フード内部に収めるものでは、軸流式のものと同風量を得るには、スクロールケーシングを収めるためのフード部分が大きくなるため、意匠性が悪くなり、また壁際などにパイプが設けられた場所では取り付けができないなどの制約がある。
特許文献２にある軸流式のものでは、換気ダクトの屋外側開口端に接続するダクト接続部とモーターを固定するベースは、壁に固定するための平面部と一体の合成樹脂で成形されている。このため、屋外に設置するものとしては紫外線や風雨による経年劣化などの懸念より長期的な耐久性や信頼性に課題がある。また、換気フードを壁に固定するためのベースはその換気フード専用に成形されるものであるため、耐外風、耐雨、耐雪など用途に応じ形状の異なる換気フード毎専用のベースが必要であった。
【０００５】
本発明は、上記の問題点を解決するためになされたものであり、設置する際、制約の少ない小形、コンパクト化をはかり換気扇の設置にレイアウトの自由度が高く、意匠性の良いものである。また、屋外側に設置されても経年劣化等の懸念が少なく、長期耐久性に優れ、信頼性を向上できる。さらには、換気フードの用途に応じ形状の異なる換気フードにも組み合わせが可能な換気扇を得ることであり、また、その換気扇を利用した換気システムを容易に得ることである。
【課題を解決するための手段】
【０００６】
家屋等の屋外壁面に設けられた開口の屋外側開口端に装着され、この屋外側開口端からの風雨の浸入を防止する屋外端末部材であって、前記屋外開口端に接続する筒状の開口を備えたダクト接続口と、前記ダクト接続口を保持し、前記屋外壁面に固定する固定部を有する平面状のベースと、前記ベースの屋外側を覆う着脱可能なカバーとを備えた換気フードと、前記換気フード内に装着し、前記換気フードの外側へ空気を排気もしくは外側より空気を給気する羽根車と、前記羽根車を回転させるモーターと、このモーターに電源を供給する電源コードまたは電源差込口を有する端子台とこれら充電部を収納する充電部カバーと、前記ベースに備え前記電源コードを前記屋外壁面側に引き出す貫通穴もしくは前記屋外壁面側より前記電源差込口を臨む端子台開口と、前記モーターの支持部を形成するファン取り付け板と、前記ファン取り付け板の屋外側より前記モーターと前記充電部カバーを組立てて一体としたファン組立てとし、前記ファン組立ては、前記ベースに着脱自在に取り付けたものである。
【発明の効果】
【０００７】
本発明によれば、モーター、羽根車、電源コードまたは電源端子台は、単一のファン取り付け板により一体的に組立てられたファン組立てとして、前記ベースに着脱自在に取り付けられている。このため同径の接続部のベースを有する換気フードであれば、ほぼそのまま取り付けることが可能であり、小形でコンパクトな換気扇が得られるとともに用途に応じ形状の異なる換気フードと組み合わせられる。また、屋外壁面に取り付けるベースとファン取り付け板とが別部材となっていることから、特に壁面に固定する壁面強度が確保できるとともに、ファン組立てのみ外してメンテナンスが可能な事から長期耐久性を向上させることが可能である。
【図面の簡単な説明】
【０００８】
【図１】図１は、本発明の実施形態１に係る換気扇を示す断面図である。
【図２】図２は、本発明の実施形態１に係る換気扇の分解斜視図である。
【図３】図３は、換気扇の背面から見た斜視図である。
【図４】図４は、換気扇の施工例を示す概略図である。
【図５】図５は、換気扇のファン取り付け板を示す斜視図である。
【図６】図６は、ファン取り付け板に備えた電源コード結線部を示す図である。
【図７】図７は、換気扇から電源コードを取り出す例を示した斜視図である。
【図８】図８は、ファン取り付け板を意匠の異なる屋外フードのベースに備えた例を示す断面図である。
【図９】図９は、端子台に備えた電源接続口を、ベースの背板側から見た斜視図である。
【図１０】図１０は、各居室に分岐された換気ダクトの屋外開口端に換気扇を設置した換気システムの例を示す概略図である。
【図１１】図１１は、床下に換気ダクトを配した換気システムの例を示す概略図である。
【図１２】図１２は、エアコン用のスリーブに換気扇を設置した例を示す概略図である。
【図１３】図１３は、居室の内壁と、住宅の外壁、天井裏、床下の基礎との空間を換気する換気システムの例を示す概略図である。
【図１４】図１４は、クローゼットの換気システムの例を示す概略図である。
【図１５】図１５は、通気口に備え、通気口の開口を可変もしくは閉止するシャッターを備えた例を示す概略図である。
【図１６】図１５にてシャッターで換気ダクトを閉止した概略図である。
【符号の説明】
【０００９】
１  換気ダクト
２  ダクト接続口、２ａ  フランジ
３  ベース、３ａ  突出部、３ｂ  貫通穴、３ｃ  背板、３ｄ  引っ掛け部、
３ｅ  ネジ穴、３ｇ  切り欠き部、
４  羽根車（プロペラ羽根）
５  モーター
６  モーターカバー、６ａ  モーター前カバー、６ｂ  モーター後カバー
７  電源コード
８  ファン取り付け板、８ａ  平面部、８ｂ  モーター支持部、８ｃ  充電部カバー、
８ｄ  突起、８ｅ  通気用開口、８ｆ  開口、８ｇ  外周端部、８ｈ  開口端部
９  カバー、９ａ  排気ガラリ
１０  屋外側開口端
１１  換気扇
１２  ファン組立て
１３  換気フード
１４  屋外壁面
１５  溝部
１６  フード内部
１７  排気
１８  充電部カバー
１９  空間
２０  壁、２０ａ  隙間
２１  端子台、２１ａ  端子台開口
２２  室内側開口端
２３  屋内配線ケーブル
２４  吸込口
２５  床下
２６  床面
２７  エアコン用スリーブ
２８  壁穴
２９  壁空間
３０ａ  天井裏、３０ｂ  床と基礎との隙間
【発明を実施するための最良の形態】
【００１０】
以下に、換気扇及びその換気システムの実施の形態を図面に基づいて詳細に説明する。なお、この実施の形態によりこの発明が限定されるものではない。
【００１１】
実施の形態１
図1は本願発明の実施の形態１に係る換気扇の設置状態を示す横断面図である。
住宅の壁面には室内外を連通し換気させる換気ダクト１を設置している。この換気ダクト１は通常各居室の天井裏に配管される場合や、図１に示すように部屋外が直接屋外壁面を構成する場合などは、室内外の壁を貫通するよう設けられることもある。この換気ダクト１の屋外側開口端１０には、屋外側より換気ダクト１に挿入する換気扇１１を設け、室内空気を屋外に排気している。換気扇１１は、換気フード１３と換気フード１３の内部１６に装着したファン組立て１２で構成している。換気フード１３は、ベース部とカバー部で構成しており、ベース部は換気ダクト１に挿入する円筒状のダクト接続口２と金属製の平板状のベース３で構成され、カバー部はこのベース３と係合し取り付けられるカバー９で構成される。一方ファン組立て１２は、３枚羽根のプロペラ式羽根車４、モーター５、モーターカバー６、電源コード７をファン取り付け板８に組付けた一体のファン組立て１２として構成している。
【００１２】
図２は本実施の形態１に係る分解斜視図である。図２により換気扇１１を詳細に説明する。
ベース３は矩形で４辺のうち下方を除く上部と両側の３辺を反壁側に略直角に曲げて方形の側面を形成している。ベース３の平面状の部分は背板３ｃでほぼ中央にはダクト接続口２が貫通し取り付けられると共に、屋外壁面に１４に取り付けるための取り付け穴（図示しない）を有している。また、ダクト接続口２は一端にベース３と固定するフランジ２ａを備え、他端は住宅の屋外壁面１４に開口する換気ダクト１の屋外側開口端１０から挿入して換気ダクト１に接続し、ベース３は取り付け穴により木ネジ等で屋外壁面１４に固定される。カバー９は方形で、下方を除く上辺、両側辺をベース３側に屈曲し側面を形成した箱状に形成している。また下方の側面は開放して通気できる開口を有して、この部分に図１のように排気ガラリ９ａを設けカバー９の正面、両側面などに溶接などで固定する。排気ガラリ９ａは数枚の垂下状のブレードと枠部（図示しない）で構成し、カバー９は上部をベース３の上辺側面に設けられた引っ掛け部３ｄと係合し、排気ガラリ９ａの枠部に備えた固定穴よりベース３のネジ穴３ｅにネジで固定される。
【００１３】
次にファン組立て１２について図２、図５、図６より説明する。
図５はファン取り付け板８を示す。また図６はファン組立て１２をモーター側から見た図を示す。
ファン取り付け板８はほぼ中央に通気用開口８ｅを備えた円板状の平面部８ａを設けており、この平面部８ａをベース３の背板３ｃにネジ（図示しない）で固定する。また、平面部８ａよりモーター５を支持する複数のモーター支持部８ｂを通気用開口８ｅの中心方向へ突出して設けている。モーター支持部８ｂは、通気用開口８ｅのほぼ中心で連結され、その連結部は略円錐状のモーター前カバー６ａを形成しモーター５の駆動軸側を覆う構造としている。モーター５はこのモーター支持部８ｂにネジ（図示しない）で固定し、住宅の屋外壁面１４に対し垂直方向に固定する。モーター支持部８ｂは３箇所設け、モーター５の外周にはこのモーター支持部８ｂの位置に相当する箇所に備えたネジ固定穴５ａが備えられている。モーター５は、３箇所のネジ固定穴５ａよりネジによりモーター支持部８ｂに固定している。
【００１４】
平面部８ａの外周端部８ｇの周縁より約１ｍｍの幅はベース３側に４mm程の厚さを持ちその内側に深さ２ｍｍ程の凹面を有している。また、ダクト接続口２のベース３側の端部にはベース３と接合するフランジ部２ａを備えている。このフランジ部２ａの外周を外周端部８ｇの周縁の内側に収めることによりフランジ部２ａの厚さによる段差を吸収出来るようにしている。通気用開口８ｅはダクト接続口２の内径とほぼ同じ径の円形としており、通気用開口８ｅの開口端部８ｈはＲ１．５程のベルマウス形状とすることで、ダクト接続口２よりフード内部１６へ流入する気流の圧力損失を極小さくしている。
【００１５】
羽根車４は３枚の羽根を有したプロペラ羽根であり、中央のボス部をモーター５の駆動軸に圧入している。この送風機部分は、羽根車４の回転により、室内の空気は換気ダクト１を通して通気開口穴８ｅよりフード内部１６に至る。カバー９の下部には排気ガラリを備えフード内部１６よりこの排気ガラリ９ａを通してフードの外へ排気するよう形成している。なお、排気ガラリ９ａの数枚のブレードは屋外壁面１４から離れる方向となる排気１７を形成するよう角度を傾けて設けている。
【００１６】
また、モーター５に電源を供給するリード線は、ファン取り付け板８の平面部８ａ上の右側に設けた充電部カバー８ｃ内にて電源コード７と接続し結線され、その結線部１８は、この充電部カバー８ｃに収納される。なおこの充電部カバー８ｃは、ファン取り付け板８をベース３に装着した際に、ベース３とファン取り付け板８との当接部が密閉するように平面部８ａのベース３側の面と面一になるようベース３側に開口した箱状に成形されている。このため結線部１８は、この箱状の充電部カバー８ｃ内に納めることにより、ファン取り付け板８とベース３との当接部は密閉し通気用開口８ｅの風路より隔離されている。
【００１７】
以上のように構成することにより、モーター５、羽根車４、電源コード７は、ファン取り付け板８により一体的に組立てられたファン組立て１２として形成され、また、このファン組立て１２はベース３に着脱自在に取り付けられている。このため同径のダクト接続口２のベース３を有する換気フード１３であれば、ほぼそのまま取り付けることが可能であり、小形でコンパクトな換気扇が得られるとともに用途に応じ形状の異なる換気フード１３と組み合わせられることが可能である。また、ベース３とファン組立て１２とが別部材となっていることから、ファン取り付け板８を樹脂製で成形し軽量化をはかり、ベース３を金属製とすることが可能となる。特に屋外壁面１４に固定する際にベース３を金属性とすることで壁面強度が確保できるとともに、ファン組立て１２のみ外して容易にメンテナンスや交換することが可能となっており、定期的なメンテナンスを容易に可能としたことで長期耐久性を向上させることができる。
なお、図１、図２では箱形の換気フード１３を図示したが、図８に示すように形状の異なる換気フード１３のベース３にファン組立て１２を装着することも可能で、図８は、耐外風、耐雨性を向上した深形の換気フード１３にファン組立て１２を装着した例である。
【００１８】
図１で示すように、換気フード１３のカバー９の下方側面には室内空気を排気する排気ガラリ９ａが設けられているが、図２、図５、図６で示すように、ファン取り付け板８には、この排気ガラリ９ａより、ファン取り付け板８の通気用開口８ｅを臨む箇所に、フィン状の突起８ｄを複数設けている。この突起８ｄは、排気ガラリ９ａから指など入れられても羽根車４の羽根に触れないようにする防護用ものである。複数の各突起８ｄは、通気用開口８ｅから排気ガラリ９ａに風路を形成するための開口８ｆを設けている。また、通気用開口８ｅのほぼ中心には、３本のモーター支持部８ｂと連結した略円錐状のモーター前カバー６ａを設けている。このモーター前カバー６ａはモーター５の駆動軸方向の概略半分程度包むように形成しており、別部品で形成したモーター後カバー６ｂと一定の重なり代を設けて係合させることで、外部からの散水等に対してモーター５に水が掛からないよう、モーター５全体を覆うようになっている。
【００１９】
以上のように防護用の突起８ｄをファン取り付け板８の通気用開口８ｅを臨む平面部８ａに構成することにより、排気ガラリ９ａやファン組立て１２に金網などを設けるより低圧損なものである。また、換気フード１３と組合せた設置状態で、換気フード１３のカバー９の排気ガラリ９ａから指や棒等を挿入しても羽根車４に指や棒が触れることがなく、羽根車４の故障を防止するとともに、子供などの手が届く低位置に換気扇１１を設置した場合でも安全性が高く、副次的にコウモリなどの小動物の侵入も防止できる。
【００２０】
また、モーター５はモーター前カバー６ａとモーター後カバー６ｂとによりモーター５の外周全体を覆われている。また、上述した充電部８ｃに収納した結線部１８は、ファン取り付け板８とベース３の当接部が密閉されており、通気用開口８ｅの風路から隔離されている。よって、結線部１８、モーター５の内部などの充電箇所への水、埃等の侵入を防ぐことができる。このため絶縁性が確保でき、所定の絶縁物の厚さと絶縁距離を確保することで二重絶縁構造とすることが可能であるため、信頼性が高く、モーター５の外郭の錆びなど耐久性が改善するとともに、モーター５の外郭からのアース線を必要とせず組立て性や施工性の改善が図れる。
【００２１】
図３は、換気扇１１の背面（住宅の屋外壁面１４側より換気扇１１を見る）から見た斜視図であり、図４はこの換気扇１１の施工状態を示している。
図３に示すように、ベース３の背板３ｃの外周には、背板３ｃから住宅の屋外壁面１４に当接する７ｍｍ〜９ｍｍ程度突き出す突出部３ａを設けている。また、背板３ｃには電源コード７を取り出す貫通穴３ｂを有し、突出部３ａには電源コード７を換気フード１３の外に引き出すための切り欠き３ｇが開けられている。
図４に示すように、電源コード７は切り欠き３ｇから換気フード１３の外に引き出すことができ、屋外に設けた屋外コンセント１４ａに接続できる。また、ベース３の外周のコーキングは、背板３ｃと突出部３ａ、屋外壁面１４で囲まれたコの字状の溝部１５にコーキング材を充填することでベース３と家屋等壁面１４との界面の止水が確実になされる。
【００２２】
以上のように構成し、ベース３の屋外壁面側には一連の７ｍｍ〜９ｍｍ高さの溝部１５が形成されることで、コーキング材を塗布するノズル先端（径５ｍ〜６ｍｍ）のガイドとなりコーキングがしやすく、また確実なコーキングが可能となる。
また、換気フード１３のカバー９はベース３から外れるのでコーキング材により壁面に固定されることがなく、ベース３と着脱自在であり、カバー９を外す際にコーキング材を切る必要がなく、屋外側から容易に換気フード１３内部の清掃やファン組立て１２のメンテナンスを行うことができる
【００２３】
図７は、図３において、電源コード７の引き出し方法の例を示す斜視図である。
図７に示すように、電源コード７はファン組立て１２からベース３の背板３ｃに設けられた貫通穴３ｂよりベース３と屋外壁面１４との間に引き出される。屋外壁面１４側に引き出された電源コード７は、ダクト接続口２の外周に巻いてベース３の背板３ｃから屋外壁面１４に当たるように形成し突出部３ａにより構成された空間１９内に配されている。
【００２４】
このように構成することにより、電源コード７はこの空間１９内で長さを調節することが可能で、余分な長さの電源コード７をこの空間１９に収めることで、必要な長さの電源コード７のみがベース３の突出部３ａに設けた切り欠き３ｇから引き出される。このため、設置時に電源コード７の長さを調節する処理が必要なく施工性が良い。また、電源コード７がダクト接続口２に巻きつけられることで、電源コード７を引っ張ってもモーター５からのリード線および結線部１８に力がかかりにくく保護できる。
なお、電源コード７は前記切り欠き３ｇから屋外フードの外側に引き出す以外に、ベース３の裏面の外壁１４に設けた貫通スリーブ（図示しない）を介し、家屋等の建物内部に引き込むことも可能である。
【００２５】
実施の形態２
図９は本願発明の実施の形態２に係る換気扇の斜視図である。なお、実施の形態１と同一の構成には同一の符号を付しており説明を省略する。
図９は換気扇１１の背面（住宅の屋外壁面１４側より換気扇１１を見る）から見た斜視図である。
図９に示すように、ファン組立て１２には、ベース３の屋外壁面１４に当接する突出部３ａと屋外壁面１４との間に形成された空間１９に臨む電源端子台２１を配置し、背板３ｃに端子台開口２１ａを備えた換気扇の例である。電源端子台２１へは屋内側から壁２０を貫通して屋外壁面１４まで引き出された屋内配線ケーブル２３を接続する。なお、上述したベース３の背板３ｃの裏面と突出部３ａ、屋外壁面１４で囲まれるコの字状の溝部１５にコーキング材を充填することでベース３と屋外壁面１４との界面の止水が確実になされている。
【００２６】
以上のように構成することで、空間１９にはコーキングにより雨水、ホコリ等の浸入がなく、電源端子台２１と屋内配線ケーブル２３との接続部には、別にカバーなどを設ける必要がなく、施工性の良い信頼性の高い接続工事が可能である。さらには、周辺は金属製のベース３とベース３の突出部３ａと、一般に不燃性の材料で構成される屋外壁面１４とで囲まれており、全周が不燃材料で構成されている。これにより、別なカバーで覆う必要がなく不燃性の材料で密閉されることから組立て性、施工性の向上がはかれるとともに信頼性が確保されている。
【００２７】
実施の形態３
図１０は、本願発明の実施の形態３に係る換気システムの概略図である。なお、実施の形態１と同一の構成には同一の符号を付しており説明を省略する。
図１０に示すように住宅内の各部屋には換気ダクト１をそれぞれ備えることも可能である。図１０の例では換気ダクト１は各部屋の天井裏で配管され、２つの換気ダクト１ａ、１ｂに分岐し、その室内側開口端２２に２個の吸込口２４ａ、２４ｂを設けている。また換気ダクト１の屋外側開口端１０に、換気扇１１を設置した換気システムの例である。このような構成では、各居室に備えた２４ａ、２４ｂは一台の換気扇１１により換気が可能となっている。
以上のように屋外に換気扇１１を設ける構成とし、室内の換気ダクト１を１ａ、１ｂのように分岐し配することで、簡単に２以上の複数空間の換気が可能であり、屋内天井裏などに複数の分岐吸込口を持つ中間取付形の換気装置を設置するよりも機器がコンパクトにできる。また天井や壁などは吸込口２４ａ、２４ｂが取り付けられるスペースがあればよく、ダクト用の換気扇などと比べ小形で、より低コストでレイアウトの自由度が高い換気システムが構成できるものである。また、既設のフードのみがついている住宅も、ダクト接続口２の径が合えば換気扇１１を外から取り付けて同様なシステムが簡単に構成できる。
【００２８】
実施の形態４
図１１は、本願発明の実施の形態４に係る換気システムの概略図である。なお、実施の形態１と同一の構成には同一の符号を付しており説明を省略する。
図１１に示すように屋内の換気ダクト１を床下２５に配し、換気ダクト１の屋外側開口端１０に、換気扇１１を設けている。換気ダクト１の室内側開口端２２に設置した吸込口２４は室内の低位置に付けることも可能で、図１１では床面に設けた換気システムの例である。
以上のように床下に換気ダクト１を配し本願発明の換気扇１１を使用することにより、例えばトイレなど床面２６など近傍の臭い発生源の近くに吸込口２４を設置し、臭いの拡散を抑えた快適性の高い換気システムが構成できる。また、換気扇１１をこのように低位置に設置した際でも、ファン取り付け板８に突起８ｄを備えることにより、カバー９の排気ガラリ９ａから指や棒等の侵入をふせぎ、羽根車４に指や棒が触れることがなく、指のけがや、羽根車４の故障を防ぐことが可能である。
【００２９】
実施の形態５
図１２は、本願発明の実施の形態５に係る換気システムの概略図である。なお、実施の形態１と同一の構成には同一の符号を付しており説明を省略する。
図１２に示すように、一般的に住宅の各居室には室内側から屋外へ、壁２０を貫通する通気口となる換気レジスタ用スリーブや、エアコンを後付けできるエアコン用のスリーブ２７が備えられる。図１２では壁２０を貫通した円筒状のエアコン用スリーブ２７の屋外側開口端１０に、換気扇１１を設けた換気システムの例である。
また、既存住宅のリフォーム等では建物の耐震強度の確保や気密性能の確保のため、壁面等に新たな貫通開口部を設けることが困難な場合が多く、このような住宅に換気機器を備えるには、既設の開口穴を流用する場合が多い。
このように既設の開口穴としてエアコン用スリーブ２７や、暖房機排気筒スリーブ、換気レジスタ用スリーブ、トイレの排気筒などにも本発明の換気扇１１は設置可能であり、新たに躯体に開口部を設けなくても取り付けられるため、リフォームで安価な換気システムが構成できる。また屋外側より、換気フード１３を有した換気扇１１が組み付けることから、新たに屋外に屋外フードなどを設置する必要がなく施工性がよいものである。また、既設の自然換気用の開口などにも取り付けられることで、自然換気から、強制換気に容易に変更することが可能である。
【００３０】
実施の形態６
図１３は、本願発明の実施の形態６に係る換気システムの概略図である。なお、実施の形態１と同一の構成には同一の符号を付しており説明を省略する。
図１３に示すように家屋等の壁２０を貫通した壁穴２８の屋外側開口端１０に、本発明による換気扇１１を設けている。この換気扇１１は壁２０に設けた隙間２０ａより空気を取り入れ、住宅の各居室の内壁と外壁との間の壁空間２９または各居室の天井裏３０ａないしは室内と基礎との隙間３０ｂの風路を経て換気扇１１より排気する換気システムの例である。これによれば建物内の湿気や熱気の滞留が防止し、湿気や熱気を排出するなど温熱環境を改善することで、より快適な居住環境を実現できる。
【００３１】
実施の形態７
図１４は、本願発明の実施の形態７に係る換気システムの概略図である。なお、実施の形態１と同一の構成には同一の符号を付しており説明を省略する。
図１４に示すように住宅内に設けたクローゼット４０に吸込口２４を設け、その吸込口２４に接続された換気ダクト１の屋外側開口端１０に、本発明による換気扇１１を設けた換気システムの例である。室内に設置される換気機器として一般的なダクト用換気扇や、パイプ用ファンなどの室内側のグリル厚さは十数mm程度であるが、本発明による換気システムでは、室内には数mm厚さの薄形の吸込口２４を組み合わせることができる。このため、このようなクローゼット４０などの内部へ吸込口２４を備えることが可能で、クローゼット４０や靴箱などの住宅に備え付けの収納空間においても邪魔にならず、収納スペースを有効に活用できる換気システムが得られるものである。
【００３２】
実施の形態８
図１５、図１６は、本願発明の実施の形態８に係る換気システムの概略図である。なお、実施の形態１と同一の構成には同一の符号を付しており説明を省略する。
図５では、シャッター板が開いている状態を示し、図１６ではシャッター板が閉じて換気ダクトが閉止した状態を表している。
図１５、図１６に示すように、一般的に住宅の各居室には室内側から屋外へ、壁２０を貫通する通気口となる換気レジスタ用スリーブが設けられることがあり、この通気口には換気ダクト１が壁２０を貫通して設けられている。この換気ダクト１の室内側には、室外から室内への給気風量を調整することや換気ダクト１の開口を閉止するシャッター機能を有するシャッター板３１が設けられているものである。この、室内側吸込口２４に接続された換気ダクト１の屋外側開口端１０に、本発明による換気扇１１を設置した換気システムの例を示している。
室内側吸込口２４は板状のシャッター板３１が壁面３２に対し平行に取り付けられ、そのシャッター板３１は壁面３２方向にラッチにより段階的に動く構造となっている。風量調整はシャッター板３１と室内側吸込口２４のベース部分３３との間の間隔により開口面積が可変することで調節される。シャッター板３１と室内側吸込口２４のベース部分３３が突き当たる位置まで動かすと、シャッター板３１と室内側吸込口２４のベース部分３３の外周が密着し、閉止状態となる。閉止状態からシャッター板３１をさらに壁面３２側に押し込むとラッチのロックが外れ、シャッター板３１が全開状態まで復帰する。
これにより室内側吸込口２４で任意に換気風量が調節でき、また、強風や台風などの際には外風が室内へ侵入をすることが遮断でき、快適性が維持される。また、このように既設の自然換気用の開口に容易に取り付けられることで、自然換気から、強制換気に容易に変更することが可能である。
【図１】
0005477061.tif 000002
【図２】
0005477061.tif 000003
【図３】
0005477061.tif 000004
【図４】
0005477061.tif 000005
【図５】
0005477061.tif 000006
【図６】
0005477061.tif 000007
【図７】
0005477061.tif 000008
【図８】
0005477061.tif 000009
【図９】
0005477061.tif 000010
【図１０】
0005477061.tif 000011
【図１１】
0005477061.tif 000012
【図１２】
0005477061.tif 000013
【図１３】
0005477061.tif 000014
【図１４】
0005477061.tif 000015
【図１５】
0005477061.tif 000016
【図１６】
0005477061.tif 000017